(57)【特許請求の範囲】
【請求項１】
デジタル放送を選局受信し、前記選局受信したデジタル放送に含まれる映像と音声を再生する複数の放送受信再生部と、
前記複数の放送受信再生部をそれぞれ非同期に操作する操作情報を入力する複数の操作情報入力部と、
前記放送受信再生部の出力をそれぞれ非同期に表示する複数の表示部と、
前記放送に含まれるデータ放送情報を解析して閲覧に供する唯一個のデータ放送処理部と、
前記複数の放送受信再生部と、前記複数の操作情報入力部と、前記複数の表示部と、前記唯一個のデータ放送処理部とを制御する制御部とを備え、
前記制御部は、
前記複数の操作情報入力部からの操作情報に基づいて、前記唯一個のデータ放送処理部の入出力対象となる前記放送受信再生部の排他制御を行うことを特徴とするデジタル放送受信装置。
【請求項２】
デジタル放送を受信選局し、前記選局したデジタル放送に含まれる映像と音声を再生する複数の放送受信再生部と、
前記放送再生部の出力をそれぞれ非同期に表示する複数の表示部と、
前記放送に含まれるデータ放送情報を解析して閲覧に供する唯一個のデータ放送処理部と、
前記複数の放送受信再生部と、前記複数の表示部と、前記唯一個のデータ放送処理部とを制御する制御部と、
前記デジタル放送受信装置が搭載された移動体が移動中か否かを監視する移動状態監視部とを備え、
前記制御部は、
前記移動状態監視部の出力に基づいて、前記唯一個のデータ放送処理部の入出力対象となる前記報送受信再生部の排他制御を行うことを特徴とするデジタル放送受信装置。
【請求項３】
前記制御部は、
前記複数の放送受信再生部と前記複数の表示部との間の各々の接続状態に基づいて、前記唯一個のデータ放送処理部の入出力対象となる前記放送受信再生部の排他制御を行うことを特徴とする請求項１または請求項２記載のデジタル放送受信装置。
【請求項４】
前記制御部は、
前記複数の放送受信再生部に対し、ダイバーシチ合成入力用とダイバーシチ合成出力用のダイバーシチ合成動作を指示するとともに、前記それぞれの放送送受信再生部のダイバーシチ合成動作に基づいて、前記唯一個のデータ放送処理部の入出力対象となる前記放送受信再生部の排他制御を行うことを特徴とする請求項１から請求項３のうちのいずれか１項記載のデジタル放送受信装置。
【請求項５】
前記制御部は、
前記複数の放送受信再生部に対して放送再生と放送再生以外の受信動作を指示するとともに、前記それぞれの放送受信再生部受信動作に基づいて、前記唯一個のデータ放送処理部の入出力対象となる前記放送受信再生部の排他制御を行うことを特徴とする請求項１から請求項４のうちのいずれか１項記載のデジタル放送受信装置。
【請求項６】
前記複数の放送受信再生部における少なくとも一部出力を中継して表示する外部装置と接続され、前記外部装置が前記放送受信再生部からの中継出力を表示中か否かを監視する中継表示監視部を備え、
前記制御部は、
前記中継表示監視部の出力に基づいて、前記唯一個のデータ放送処理部の入出力対象となる前記放送受信再生部の排他制御を行うことを特徴とする請求項１から請求項５のうちのいずれか１項記載のデジタル放送受信装置。
【請求項７】
前記制御部は、
前記複数の操作情報入力部からの操作情報、前記移動状態監視部の出力、前記放送受信再生部と前記表示部との間の各々の接続状態、前記放送受信再生部のダイバーシチ合成動作、前記放送受信再生部の受信動作、前記中継表示監視部の出力のうち、少なくとも一つが変化すると、前記唯一個のデータ放送処理部の入出力対象となる前記放送受信再生部を変更することを特徴とする請求項１から請求項６のうちのいずれか１項記載のデジタル放送受信装置。
【請求項８】
前記制御部は、
前記唯一個のデータ放送処理部の入出力対象でない前記複数の放送受信再生部に、データ放送が使用不可であることを示す表示を行わせることを特徴とする請求項1から請求項７のうちのいずれか１項記載のデジタル放送受信装置。
【請求項９】
前記制御部は、
前記複数の各操作情報入力部から前記唯一個のデータ放送処理部の入出力対象でない放送受信再生部に対するデータ放送の操作要求を入力すると、前記データ放送を再生中の放送受信再生部に対し、データ放送の視聴要求があることを示す表示を行わせることを特徴とする請求項１から請求項８のうちのいずれか１項記載のデジタル放送受信装置。
【請求項１０】
前記制御部は、
前記操作情報入力部が、前記唯一個のデータ放送処理部の入出力対象でない放送受信再生部に対するデータ放送の操作要求を入力すると、前記操作要求を前記放送受信再生部ごとに記憶し、前記操作要求があった放送受信再生部を前記唯一個のデータ放送処理部の入出力対象に変更するタイミングで、前記唯一個のデータ放送処理部に対してデータ放送を表示するように指示することを特徴とする請求項１から請求項９のうちのいずれか１項記載のデジタル放送受信装置。
【発明の詳細な説明】
【技術分野】
【０００１】
この発明は、例えば、地上デジタルハイビジョン放送を車両等の移動体で視聴する用途に用いて好適なデジタル放送受信装置に関するものである。
【背景技術】
【０００２】
高性能な移動受信を実現するためには受信機の受信性能を上げることが最も重要な設計事項となる。移動体で受信機の受信性能を上げる方法として、車両に搭載した複数本のアンテナで受信した信号を合成するダイバーシチ受信がある。
このダイバーシチ受信によれば、妨害を受けて電波が歪み、あるいは受信レベルが極端に低かった場合、それぞれの受信アンテナの出力を集めるとともに、変動を少なくするようなデジタル処理を行うことで固定受信と同じような受信環境を作り出すことができる。
【０００３】
一方、地上デジタルハイビジョン放送の浸透により多様の受信形態が普及しつつあり、放送に多重されて伝送されるデータ放送番組も視聴することもできるようになり、これら固定受信向けの放送が車両等の移動体においても視聴できるようになった。
上記したデータ放送番組を受信する放送受信装置の性能向上を目的とした提案について、従来から多数の特許出願がなされ、例えば、番組視聴用と放送サーチ用の２個のチューナと、１個のデータ放送用デコーダを備え、番組視聴中に放送サーチ用のチューナで受信可能な放送局を探すとともに各放送に多重されるデータ放送情報を抽出して記憶しておき、画面の一部にデータ放送を表示し、先に記憶しておいたデータ放送情報をデコードしてデータ放送画面を表示することで、各方送局のデータ放送内容を迅速に検索する放送受信装置が知られている（例えば、特許文献１参照）。
【０００４】
また、２つのチューナと、１個または２個のデータ放送ブラウザとを備え、データ放送のクイズ等コンテンツに対してユーザが入力した内容を記憶しておき、データ放送への入力途中で別放送を見た後でも、データ放送の入力途中の状態に戻すことができる放送受信装置も知られている（例えば、特許文献２参照）。
【０００５】
【特許文献１】特開平９−２３３４３９号公報
【特許文献２】特開２００７−１３７１２号公報
【発明の開示】
【発明が解決しようとする課題】
【０００６】
上記した特許文献１に開示された技術によれば、１個のデコーダを使用して複数のデータ放送番組を同時に視聴することができ、多画面テレビジョン受像機のようなシステムにおいても、信号抜き取り回路や誤り訂正回路を１組で賄うことができるのであり、文字放送のデコーダ部分の回路構成を簡易化して安価に構成可能である。
また、特許文献２に開示された技術によれば、受信中のデータ放送について保護しながら、他チャンネルのデータ放送も一時的に視聴することができる。
【０００７】
しかしながら、上記した特許文献１、特許文献２に開示された技術によれば、いずれも２個のチューナを備えているが、画面や操作入力手段が１個しか用意されないため、例えば、車両の前席と後席で異なる放送番組を同時に視聴し、前席と後席から独立してデータ放送を操作するといったアプリケーションに使用することができない。また、データ放送ブラウザがデータ放送を解析する際に大量のメモリ容量を必要とすることから、チューナの個数分だけデータ放送ブラウザを設けることは現実的ではなく、この場合、メモリ使用量が増大し、製造コストを増加させるという問題があった。
【０００８】
この発明は上記した課題を解決するためになされたものであり、デジタル放送を非同期に選局受信してそれぞれのチューナで再生するデジタル放送受信装置において、唯一個の放送ブラウザでデータ放送を共用するとともに独立した操作を可能とし、メモリ使用量の削減をはかった、デジタル放送受信装置を提供することを目的とする。
【課題を解決するための手段】
【０００９】
上記した課題を解決するためにこの発明のデジタル放送受信装置は、デジタル放送を選局受信し、前記選局受信したデジタル放送に含まれる映像と音声を再生する複数の放送受信再生部と、前記複数の放送受信再生部をそれぞれ非同期に操作する操作情報を入力する複数の操作情報入力部と、前記放送受信再生部の出力をそれぞれ非同期に表示する複数の表示部と、前記放送に含まれるデータ放送情報を解析して閲覧に供する唯一個のデータ放送処理部と、前記複数の放送受信再生部と、前記複数の操作情報入力部と、前記複数の表示部と、前記唯一個のデータ放送処理部とを制御する制御部とを備え、前記制御部は、前記複数の操作情報入力部からの操作情報に基づいて、前記唯一個のデータ放送処理部の入出力対象となる前記放送受信再生部の排他制御を行うように構成したものである。
【発明の効果】
【００１０】
この発明のデジタル放送受信装置によれば、デジタル放送を非同期に選局受信してそれぞれのチューナ（放送受信再生部）で再生するデジタル放送受信装置において、唯一個の放送ブラウザ（データ放送処理部）でデータ放送を共用するとともに独立した操作を可能とし、メモリ使用量の削減をはかることができる。
【発明を実施するための最良の形態】
【００１１】
実施の形態１．
図１は、この発明の実施の形態１に係るデジタル放送受信装置の内部構成を示すブロック図である。ここでは、デジタル放送受信装置１が乗用車やバス等の移動体に搭載されるものとして説明する。
【００１２】
図１に示されるように、この発明の実施の形態１に係るデジタル放送受信装置１は、制御部１０と、操作情報入力部１１，１２（図示例は２つを例示したが、この操作情報入力部は１つでも２以上であってもよい。）と、放送受信再生部１３，１４と、データ放送処理部１５と、表示部１６，１７により構成される。
制御部１０は、デジタル放送受信装置１としての制御中枢となり、ここでは、特に、複数の操作情報入力部１１，１２からの操作情報に基づいて、唯一個のデータ放送処理部１５の入出力対象となる放送受信再生部１３，１４の排他制御を行う。操作情報入力部１１は、前席ユーザからの操作情報を制御部１０に入力し、操作情報入力部１２は、後席ユーザからの操作情報を制御部１０に入力する。
【００１３】
放送受信再生部１３は、前席ユーザ向けに放送を受信して番組の映像や音声を再生し、放送受信部１３１と、情報分離部１３２と、映像解析再生部１３３と、表示制御部１３４から構成される。放送受信再生部１４は、後席ユーザ向けに放送を受信して番組の映像や音声を再生し、放送受信部１４１と、情報分離部１４２と、映像解析再生部１４３と、表示制御部１４４から構成される。
データ放送処理部１５は、放送に重畳されて伝送されてくるデータ放送情報を抽出して閲覧に供し、データ放送入力切替部１５１と、データ放送解析部１５２と、データ放送ブラウザ１５３と、データ放送出力切替部１５４から構成される。表示部１６は、前席ユーザ向けに番組の映像や音声を出力し、表示部１７は、後席ユーザ向けに番組の映像や音声を出力する。
【００１４】
なお、制御部１０と、データ放送処理部１５は、ハードウェア的には、マイクロプロセッサ、メモリ、および周辺ＬＳＩが相当し、操作情報入力部１１，１２は、リモコン本体とその受信回路が相当し、放送受信再生部１３，１４は、受信回路、チューナやデジタル復調用のＬＳＩ、ＭＰＥＧ（Ｍｏｖｉｎｇ Ｐｉｃｔｕｒｅ Ｅｌｅｍｅｎｔ Ｇｒｏｕｐ）処理用ＬＳＩや映像・音声処理回路等が相当し、表示部１６，１７は、スピーカを内蔵したＬＣＤ（液晶等）の表示モニタが相当する。
【００１５】
上記構成において、前席向けの地上デジタル放送の受信は、放送受信再生部１３（１４）を構成する各部により実現される。すなわち、放送受信部１３１（１４１）は、ＵＨＦ（Ｕｌｔｒａ Ｈｉｇｈ Ｆｒｅｑｕｅｎｃｙ）帯の１３〜６２チャンネルで放送される地上デジタルテレビジョン放送波を受信し、所望のチャンネルを選局し、デジタル変調された信号をデジタル復調してトランスポートストリーム（以下、ＴＳ：Ｔｒａｎｓｐｏｒｔ Ｓｔｒｅａｍという）を出力する。
情報分離部１３２（１４２）は、ＴＳ内に多重化されている各種情報を解析し、分離してデータ放送処理部１５へ出力する。ＴＳは、ＭＰＥＧ−２（Ｍｏｖｉｎｇ Ｐｉｃｔｕｒｅ Ｅｘｐｅｒｔｓ Ｇｒｏｕｐ）規格と、ＡＲＩＢ（Ａｓｓｏｃｉａｔｉｏｎ ｏｆ Ｒａｄｉｏ Ｉｎｄｕｓｔｒｉｅｓ ａｎｄ Ｂｕｓｉｎｅｓｓｅｓ：社団法人電波産業界）標準規格に準拠して、映像・音声や番組情報等を多重化したデータ列である。
【００１６】
映像解析再生部１３３（１４２）は、情報分離部１３２（１４３）で分離した映像情報を解析し、映像に適した方式でデコードして表示制御部１３４（１４４）に番組映像として出力する。表示制御部１３４（１４４）は、映像解析再生部１３３（１４２）の出力である番組映像と、データ放送やメニュー等の複数のグラフィックス画面を重畳して、表示部１６（１７）に表示する。
なお、ＴＳには映像以外にも、音声情報、番組表の元となる番組情報、字幕・文字スーパー等の情報も多重化されており、番組音声は、番組映像と同期してスピーカ出力され、番組情報や字幕文字スーパー等のグラフィックス画面も重畳して表示される。
【００１７】
一方、データ放送に関する処理は、データ放送処理部１５を構成する各部により実現される。データ放送入力切替部１５１は、映像受信再生部１３の情報分離部１３２、または、映像受信再生部１４の情報分離部１４２で分離したＤＳＭ−ＣＣ（Ｄｉｇｉｔａｌ Ｓｔｏｒａｇｅ Ｍｅｄｉａ−Ｃｏｍｍａｎｄ ａｎｄ Ｃｏｎｔｒｏｌ）形式のデータを入力し、データ放送解析部１５２へ出力する。
データ放送解析部１５２は、ＤＳＭ−ＣＣ形式のデータを解析し、データ放送に必要なＢＭＬ（Ｂｒｏａｄｃａｓｔ Ｍａｒｋｕｐ Ｌａｎｇｕａｇｅ）情報を抽出し、データ放送ブラウザ１５３へ出力する。データ放送ブラウザ１５３は、ＢＭＬ情報から閲覧可能なデータ放送用のグラフィックス画面を生成してデータ放送出力切替部１５４へ出力する。データ放送出力切替部１５４は、データ放送用のグラフィックス画面を、放送受信再生部１３の表示制御部１３４、または、放送受信再生部１４の表示制御部１４４へ出力する。
【００１８】
図２−１、図２−２は、この発明の実施の形態１に係るデジタル放送受信装置の動作を示すフローチャートである。
以下、図２−１、図２−２のフローチャートを参照しながら、図１に示すこの発明の実施の形態１に係るデジタル放送受信装置（制御部１０）の動作について詳細に説明する。
【００１９】
図２−１において、制御部１０は、まず、データ放送の使用状態を記憶する変数にデータ放送の未使用状態を示す値を代入して初期化する（ステップＳＴ２０１）。また、制御部１０は、データ放送処理部１５の接続先を記憶する変数に未接続を示す値を代入して初期化する（ステップＳＴ２０２）。
続いて、制御部１０は、データ放送処理部１５を起動する（ステップＳＴ２０３）。データ放送処理部１５は、大量のメモリを使用し、起動に時間がかかるため、デジタル放送受信装置１の電源投入時に一度だけ起動しておき、デジタル放送受信装置１の電源遮断時まで停止させない方法が一般的である。
【００２０】
次に、制御部１０は、操作情報入力部１１から前席ユーザによる操作情報の取得を試みる（ステップＳＴ２０４）。ここで、操作情報入力部１１は、リモコンによる操作情報を時系列的に記憶しておく。
制御部１０は、前席ユーザによる操作情報が取得できた場合（ステップＳＴ２０５“Ｙｅｓ”）、取得した操作情報を確認し、‘ｄ’ボタン（データ放送の表示／非表示に用いるボタン）の押下であれば（ステップＳＴ２０６“Ｙｅｓ”）、データ放送の表示／非表示を試みるためにステップＳ２０７の処理に進み、‘ｄ’ボタンの押下でなれければ（ステップＳＴ２０６“Ｎｏ”）、データ放送の表示／非表示は不要であるため、ステップＳＴ２１４の処理を行う。
【００２１】
データ放送表示／非表示を試みる場合、制御部１０は、データ放送の使用状態を記憶する変数の値を確認して（ステップＳＴ２０７）、データ放送が前席で使用中なら（ステップＳＴ２０７“前席使用中”）、ステップＳＴ２０８の処理へ進み、後席で使用中なら（ステップＳＴ２０７“後席使用中”）、ステップＳＴ２１０の処理へ進み、未使用であれば（ステップＳＴ２０７“未使用”）、ステップＳＴ２１２の処理へ移行する。
前席でデータ放送を使用中の場合（ステップＳＴ２０７“前席使用中”）、前席でデータ放送を表示中に前席ユーザにより‘ｄ’ボタンが押下されたため、制御部１０は、データ放送を非表示にすべく、データ放送ブラウザ２０に画面の非表示を指示するとともに、放送受信再生部１３とデータ放送処理部１５間の接続解除を指示する（ステップＳＴ２０８）。
【００２２】
この指示にしたがい、データ放送処理部１５のデータ放送入力切替部１５１は、放送受信再生部１３の情報分離部１３２からの入力を停止するとともに、データ放送処理部１５のデータ放送出力切替部１５４は、表示制御部１３４への出力を停止する（データ放送画面の非表示については、ステップＳＴ２１４を処理するタイミングで実行される）。
続いて制御部１０は、データ放送の使用状態を記憶する変数に未使用を示す値を代入するとともに、データ放送処理部１７の接続先を記憶する変数に未接続を示す値を代入する（ステップＳＴ２０９）。その後、ステップＳＴ２１４の処理を実行する。
【００２３】
一方、後席でデータ放送を使用中の場合（ステップＳＴ２０７“後席使用中”）、後席でデータ放送を表示中に前席ユーザから‘ｄ’ボタンが押下されたため、制御部１０は、前席ユーザ向けの表示制御部１３４に対して、データ放送が使用できない旨を表示するよう指示する（ステップＳＴ２１０）。これにより、前席の表示部１６には、例えば、図３に示す画面が表示される。その後、ステップＳＴ２１４の処理へ戻る。
【００２４】
図３は、他のユーザがデータ放送を使用中の場合における、番組映像の表示画面イメージを示した図である。図３において中央付近の船が選局中の番組映像を表し、右下の角丸矩形部分Ａは番組映像に重畳表示するメッセージを表している。
【００２５】
続いて、制御部１０は、後席でデータ放送を表示中に前席ユーザから‘ｄ’ボタンが押されたため、後席ユーザ向けの表示制御部１４４に対して前席ユーザからデータ放送の視聴要求がある旨を表示するよう指示する（ステップＳＴ２１１）。これにより、後席の表示部１７には、例えば、図４に示す画面が表示される。その後、ステップＳＴ２１４の処理へ戻る。
【００２６】
図４は、データ放送使用中に他のユーザからのデータ放送視聴要求が発生した場合における、データ放送の表示画面イメージを示した図である。図４において、右上の矩形部分Ｂは選局中の番組映像の縮小表示を表し、その周辺Ｃはデータ放送ブラウザが生成するＧＵＩ表示を表している。右下の角丸矩形部分Ｄは、データ放送画面に重畳表示するメッセージを表している。
【００２７】
一方、データ放送が未使用の場合（ステップＳＴ２０７“未使用”）、制御部１０は、前席でデータ放送を表示するため、放送受信再生部１３とデータ放送処理部１５間の接続を指示するとともに、データ放送ブラウザ１５３に画面の表示を指示する（ステップＳＴ２１２）。なお、データ放送画面の表示については、ステップＳＴ２１４の処理を実行するタイミングで行われる。
続いて、制御部１０は、データ放送の使用状態を記憶する変数に前席で使用中を示す値を代入し、データ放送処理部１５の接続先を記憶する変数に前席を示す値を代入する（ステップＳＴ２１３）。その後、ステップＳＴ２１４の処理へ移行する。
【００２８】
ステップＳＴ２１４において、制御部１０は、前席ユーザからの操作情報を放送受信再生部１３の表示制御部１３４に通知し、表示制御部１３４が通知された操作情報に応じたＧＵＩ（Ｇｒａｐｈｉｃａｌ Ｕｓｅｒ Ｉｎｔｅｒｆａｃｅ）等の処理を行い、ステップＳＴ２０４の処理に戻る。
【００２９】
図２−２において、前席ユーザによる操作情報が無い場合（ステップＳＴ２０５”Ｎｏ“）、制御部１０は、操作情報入力部１２から後席ユーザによる操作情報の取得を試みる（ステップＳＴ２１５）。
後席ユーザによる操作情報が取得できれば（ステップＳＴ２１６“Ｙｅｓ”）、制御部１０は、ステップＳＴ２１７の処理へ進み、取得できなければ（ステップＳＴ２１６“Ｎｏ”）、操作情報入力を待つためステップＳＴ２０４の処理へ戻る。
【００３０】
後席ユーザによる操作情報が取得できた場合（ステップＳＴ２１６“Ｙｅｓ”）、制御部１０は操作情報を確認し（ステップＳＴ２１７）、‘ｄ’ボタンの押下であれば（ステップＳＴ２１７“Ｙｅｓ”）、データ放送の表示／非表示を試みるため、ステップＳＴ２１８の処理へ進み、‘ｄ’ボタンの押下でなければ（ステップＳＴ２１７“Ｎｏ”）、データ放送の表示／非表示は不要であるためステップＳＴ２２５の処理へ戻る。
後席向けにデータ放送の表示／非表示を試みる場合、制御部１０は、データ放送の使用状態を記憶する変数の値を確認し（ステップＳＴ２１８）、データ放送が前席で使用中であれば（ステップＳＴ２１８“前席使用中”）、ステップＳＴ２１９の処理へ進み、後席で使用中であれば（ステップＳＴ２１８“後席使用中”）、ステップＳＴ２２１の処理へ進み、未使用なら（ステップＳＴ２１８“未使用”）、ステップＳＴ２２３の処理へ移行する。
【００３１】
前席でデータ放送を使用中の場合（ステップＳＴ２１８“前席使用中”）、前席でデータ放送を表示中に後席ユーザから‘ｄ’ボタンが押下されるため、制御部１０は、後席ユーザ向けの放送受信再生部１４の表示制御部１４４に対して、データ放送が使用できない旨を表示するよう指示する（ステップＳＴ２１９）。これにより、後席の表示部１７に表示される画面は、例えば、図３に一例が示される表示になる。
続いて、制御部１０は、前席ユーザ向けの放送受信再生部１３の表示制御部１３４に対して前席ユーザからデータ放送の視聴要求がある旨を表示するよう指示する（ステップＳＴ２２０）。これにより、前席の表示部１６に表示される画面は、例えば、図４に一例が示される表示になる。その後、ステップＳＴ２２５の処理へ移行する。
【００３２】
後席でデータ放送を使用中の場合（ステップＳＴ２１８“後席使用中”）、制御部１０は、後席でデータ放送を表示中に後席ユーザにより‘ｄ’ボタンが押下されたため、データ放送処理部１５のデータ放送ブラウザ１５３に対してデータ放送の非表示を指示するとともに（ステップＳＴ２２１）、放送受信再生部１４とデータ放送処理部１５間の接続解除を指示する。なお、データ放送の非表示については、ステップＳＴ２２５の処理を実行するタイミングで行われる。
この指示にしたがい、データ放送処理部１５のデータ放送入力切替１５１は、放送受信再生部１４の情報分離部１４２からの入力を停止するとともに、データ放送処理部１５のデータ放送出力切替部１５４は、放送受信再生部１４の表示制御部１４４への出力を停止する。続いて、制御部１０は、データ放送の使用状態を記憶する変数に未使用を示す値を代入するとともに、データ放送処理部１７の接続先を記憶する変数に未接続を示す値を代入する（ステップＳＴ２２２）。その後、ステップＳＴ２２５の処理へ移行する。
【００３３】
一方、データ放送が未使用の場合（ステップＳＴ２１８“未使用”）、制御部１０は、後席でデータ放送を表示するため、放送受信再生部１４とデータ放送処理部１５間の接続を指示するとともに、データ放送処理部１５のデータ放送ブラウザ１５３に画面の表示を指示する（ステップＳＴ２２３）。なお、データ放送の表示については、ステップＳＴ２２５の処理を実行するタイミングで行われる。
続いて制御部１０は、データ放送の使用状態を記憶する変数に後席で使用中を示す値を代入し、データ放送処理部１５の接続先を記憶する変数に後席を示す値を代入する（ステップＳＴ２２４）。その後、ステップＳＴ２２５の処理へ移行する。
ステップＳＴ２２５では、制御部１０は、後席ユーザからの操作情報を放送受信再生部１４の表示制御部１４４に通知し、表示制御部１４４が通知された操作情報に応じたＧＵＩ等の処理を行い、ステップＳＴ２０４の処理に戻る。
【００３４】
上記したこの発明の実施の形態１に係るデジタル放送受信装置によれば、前席または後席からのデータ放送視聴要求に応じて、唯一個のデータ放送処理部１５の入出力を前席側または後席側に切り替えるように構成したため、前席ユーザでも後席ユーザでもデータ放送を使用可能であるとともに、データ放送処理部１５を前席用と後席用に２つ備えた場合に比べてメモリ使用量を抑制でき、デジタル放送受信装置を安価に構築できる効果が得られる。
また、前席または後席のいずれかでデータ放送を視聴中に、データ放送を視聴していない席の表示部１６（１７）にデータ放送が使用不可である旨を表示するように構成したため、ユーザは無駄な操作をしなくても済む効果が得られる。更に、データ放送を使用中に、他のユーザからのデータ放送の視聴要求がある旨を表示するように構成したため、漫然とデータ放送を占有し続けることを防止でき、データ放送を必要とするユーザは、希望する時にデータ放送を視聴できる効果が得られる。
【００３５】
なお、上記した実施の形態１では、図３、図４に、データ放送が使用できない旨と、他ユーザからのデータ放送の視聴要求がある旨を文字で表示する例を説明したが、同様の意味を表す図形や画像等を表示しても良い。また、表示する位置も右下以外の場所でも構わない。また、データ放送が使用できない旨と、他のユーザからのデータ放送の視聴要求がある旨を文字で表示する代わりに、音声で出力しても良い。同様に、音声と表示を両方出力しても良い。
また、操作情報入力部１１，１２として、リモコンを使用する代わりに、タッチパネル付きの表示器を用い、タッチパネルにリモコンボタンに相当するソフトウェアボタンを表示し、データ放送が使用できない場合には‘ｄ’ボタン（ソフトウェアボタン）を使用不可とする方法でも同様の効果が得られる。
【００３６】
実施の形態２．
図５は、この発明の実施の形態２に係るデジタル放送受信装置の内部構成を示すブロック図である。
図５に示されるように、図１に示す実施の形態１との構成上の差異は、図１に示す実施の形態１が有する構成に、更に、デジタル放送受信装置１が搭載される移動体（例えば、車両）が、移動中か静止中かを監視する移動状態監視部２２が付加されていることにある。他の構成は、図１に示す実施の形態１と同様である。
【００３７】
移動状態監視部２２で車両が移動中か静止中かを監視するために、車両側では、サイドブレーキを引いた状態で接地されるように信号線を結線しておき、また、デジタル放送受信装置１側では、その信号電圧の検知回路を経由して制御部１０（マイクロプロセッサの入力端子）に接続するように細工しておく。
移動状態監視部２２は、ハードウェア割り込みを用いてこの入力端子の電圧を監視し、一定電圧値未満であればサイドブレーキを引いている状態（ＯＮ）であるため車両は停止中であると判定することができ、一定の電圧値以上であればサイドブレーキを解放した状態であるため車両は移動中であると判定することができる。
【００３８】
図６−１、図６−２は、この発明の実施の形態２に係るデジタル放送受信装置の動作を示すフローチャートである。
図６−１、図６−２において、図２−１、図２−２で示した実施形態１との差異は、網掛けされた箇所（ステップＳＴ２３０〜ＳＴ２３２）のみであるため、以下は、この網掛けされた箇所を中心に制御部１０の動作を詳細に説明する。
【００３９】
図６−１において、制御部１０は、データ放送処理部１５を起動した後（ステップＳＴ２０３）、移動状態監視部２２から車両の移動状態に関する情報を取得し（ステップＳＴ２３０）、ステップＳＴ２３１の処理へ移行する。
ステップＳＴ２３１では、制御部１０は、移動状態に基づいて車両が移動中か停止中かを判定し、停止中であれば、ステップＳＴ２０４で前席からの操作情報に基づいた処理を行い、移動中であればステップとＳＴ２３２の処理へ移行する。
ステップＳＴ２３２では、移動中であるため、運転席となる前席は番組の視聴が不可であり、制御部１０は、前席でデータ放送を視聴中であればその視聴を中止させ、視聴中でなければ何もすることなくステップＳＴ２１５の処理へ移行する。なお、前席でデータ放送の視聴を中止させる方法は、実施の形態１で説明したステップＳＴ２０８の処理と同様である。
【００４０】
このため、前席は停止中であれば実施の形態１と同様にデータ放送を操作可能であるが、走行中であればデータ放送の操作が不可能になる。
一方、後席は停止中であれば実施の形態１と同様の動作になるが、走行中であれば前席に影響されることなくデータ放送の視聴が可能になる。制御部１０は、ステップＳＴ２１４と、図６−２で示すステップＳＴ２２５の終了後は、図６−１に示すステップＳＴ２３０の処理に戻り、移動状態の監視を継続する。
【００４１】
上記した実施の形態２によれば、車両走行中には前席からデータ放送を操作不可能とするよう構成したため、後席は、走行中、前席に関係なくデータ放送を視聴することが可能になる。また、停車すれば、実施の形態１と同様に、前席または後席のいずれかでデータ放送を視聴可能になる。
【００４２】
なお、上記した実施の形態２によれば、移動状態監視部２２は、サイドブレーキのＯＮ／ＯＦＦ状態を利用することを例示したが、他に、ＧＰＳ（Ｇｌｏｂａｌ Ｐｏｓｉｔｉｏｎｉｎｇ Ｓｙｓｔｅｍ）アンテナと、ＧＰＳ受信機とを用いて緯度経度を検出し、緯度経度の変化により移動状態を判定するようにしても良く、また、車速センサにより取得した速度情報により、あるいは、ナビゲーション装置とデジタル放送受信装置１を接続して、ナビゲーション装置が移動状態を判定した結果を利用するようにしても良い。
【００４３】
実施の形態３．
図７は、この発明の実施の形態３に係るデジタル放送受信装置の内部構成を示すブロック図である。
図７に示されるように、図１に示す実施の形態１との構成上の差異は、後席用の放送受信再生部１４に表示部１６が接続されていないことと、放送受信再生部１３および放送受信再生部１４から制御部１０への出力（信号線７１，７２）が追加されていることにある。他の構成は、図１に示す実施の形態１と同様である。
【００４４】
ここでは、デジタル放送受信装置１（放送受信再生部１３（１４））と表示部１６（１７）とを接続するコネクタにおける信号線の一本を、表示部１６（１７）が接続されると接地レベルになるように結線しておき、デジタル放送受信装置１側では信号電圧の検知回路を経由してマイクロプロセッサの入力端子に接続しておく。そして、前席の放送受信再生部１３と後席の放送受信再生部１４は、ハードウェア割り込みを用いてこの入力端子の電圧を監視し、一定電圧値未満であれば表示部１６（１７）が接続されていると判定し、一定の電圧値以上であれば表示部１６（１７）が接続されていないと判定する。
【００４５】
図８−１、図８−２は、この発明の実施の形態３に係るデジタル放送受信装置の動作を示すフローチャートである。
図８−１、図８−２において、図２−１、図２−２で示した実施の形態１との差異は、図中、網掛けされた箇所（ステップＳＴ２４０〜ＳＴ２４５）のみであるため、以下は、この網掛けされた箇所を中心に制御部１０の動作を詳細に説明する。
【００４６】
図８−１において、制御部１０は、データ放送処理部１５を起動した後、前席の放送受信再生部１３から表示部１６の接続状態に関する情報を取得し（ステップＳＴ２４０）、ステップＳＴ２４１の処理へ移行する。
続くステップＳＴ２４１では、制御部１０は、表示部１６が放送受信再生部１３に接続されているか否かを判定し、接続されていれば（ステップＳＴ２４１“Ｎｏ”）、ステップＳＴ２０４以降で前席からの操作情報に基づいた処理を行い、未接続であれば（ステップＳＴ２４１“Ｙｅｓ”）、ステップＳＴ２４２の処理へ移行する。
表示部１６が未接続の場合（ステップＳＴ２４１“Ｙｅｓ”）、前席ではデータ放送が表示可能であるため、制御部１０は、前席でデータ放送を使用中であれば使用を中止させ、使用中でなければ何もしないで（ステップＳＴ２４２）、図８−２に示すステップＳＴ２４３の処理へ移行する。このため、前席は表示部１６が接続されていれば実施の形態１と同様にデータ放送を操作可能であるが、未接続であればデータ放送を操作不可能になる。
【００４７】
ステップＳＴ２４３の処理において、制御部１０は、後席の放送受信再生部１４から表示部１７の接続状態に関する情報を取得し、ステップＳＴ２４４の処理に移行する。
続くステップＳＴ２４４の処理において、制御部１０は、表示部１７が接続されているか否かを判定し、接続されていれば（ステップＳＴ２４４“Ｎｏ”）、ステップＳＴ２１５以降で後席からの操作情報に基づいて処理を行い、未接続であれば（ステップＳＴ２４４“Ｙｅｓ”）、ステップＳＴ２４５の処理へ移行する。
表示部１７が未接続の場合（ステップＳＴ２４４“Ｙｅｓ”）、後席ではデータ放送を表示不可であるため、制御部１０は、後席でデータ放送を使用中であればその使用を中止させ（ステップＳＴ２４５）、視聴中でなければ何もしないでステップＳＴ２４０の処理へ戻る。このため、後席は、表示部１７が接続されていれば実施の形態１と同様にデータ放送を操作可能であるが、未接続であればデータ放送が操作不可能になる。
【００４８】
上記した実施の形態３によれば、表示部１６（１７）が未接続である状態ならばデータ放送を操作不可能とするよう構成したため、表示部１６（１７）を接続している座席側は、表示部１７（１６）を未接続の座席側に関係なくデータ放送を視聴可能になる効果が得られる。また、前席と後席ともに表示部１６（１７）を接続すれば、前席または後席のいずれかでデータ放送が視聴可能になる。
【００４９】
なお、上記した実施の形態３では、表示部１６（１７）の接続状態を検出するために、表示部１６（１７）とデジタル放送受信装置１（放送受信再生部１３（１４））間のコネクタにおける信号線を利用する例を示したが、コネクタの接合状態によりＯＮ／ＯＦＦするスイッチを設け、このスイッチのＯＮ／ＯＦＦ状態から表示部１６（１７）の接続状態を判定するようにしても良い。
【００５０】
実施の形態４．
図９は、この発明の実施の形態４に係るデジタル放送受信装置の内部構成を示すブロック図である。
図９に示されるように、図１に示す実施の形態１との構成上の差異は、放送受信再生部１３から信号線９１を介して制御部１０へ放送の受信状態を報知することと、後席の放送受信再生部１４の放送受信部１４１の出力を情報分離部１４２へ出力する代わりに、前席の放送受信再生部１３の放送受信部１３１へ出力し、合成ダイバーシチとして機能させることにある。他の構成は、実施の形態１と同様である。
【００５１】
非ダイバーシチ合成状態では、前席側の放送受信再生部１３と後席側の放送受信再生部１４は、別々の放送を受信して映像を再生するとともに、各々の受信状態を監視している。前席側の放送受信再生部１３は、受信状態が悪化すると、その旨を制御部１０に通知する。
ここで、受信状態を監視する方法として、放送受信部１３１で検出可能な電界強度やデジタル復調時のバケット誤り率、情報分離部１３２で検出可能なセクション単位での復号誤り率、映像解析再生部１３３で検出可能な映像デコード時の誤り率等を用いることが知られている。
【００５２】
制御部１０は、前席側の放送受信再生部１３から受信状態の悪化を通知されると、放送受信再生部１３と放送受信再生部１４に対して、ダイバーシチ合成を行うように指示する。この際、制御部１０は、自ら保持する変数にダイバーシチ合成状態を記憶する。
ダイバーシチ合成を指示されると、後席側の放送受信再生部１４は、放送受信部１４１から情報分離部１４２へのＴＳ出力を中止し、放送受信部１４１から前席側の放送受信再生部１３の放送受信部１３１へ受信データを出力させる。前席側の放送受信部１３１は、自身の受信データと、放送受信部１４１からの受信データを合成して、情報分離部１４２へＴＳを出力する。
【００５３】
なお、インターネットＵＲＬ（ｈｔｔｐ：／／ｗｗｗ．ｎｈｋ．ｏｒ．ｊｐ／ｓｔｔｒｌ／ｒｅｓｕｌｔｓ／ａｃｔｉｖｉｔｙ／ｐｄｆ／８２０９．ｐｄｆ：２００７年１２月１７日閲覧）には、複数のアンテナで受信したデジタル放送波を各々周波数分析し、各デジタル放送波に含まれる多数の搬送波の振幅レベルを各々算出し、合成後のＣ／Ｎ比を最大化するよう搬送波毎に重み付けを調整して、搬送波毎に位相を同期させて受信する、ダイバーシチ合成の原理が詳しく紹介されている。
【００５４】
図１０−１、図１０−２は、この発明の実施の形態４に係るデジタル放送受信装置の動作を示すフローチャートである。
図１０−１、図１０−２において、図２−１、図２−２で示した実施形態１との差異は、網掛けされた箇所（ステップＳＴ２５０〜ＳＴ２５２）のみであるため、以下は、この網掛けされた箇所を中心に制御部１０の動作を詳細に説明する。
【００５５】
図１０−１において、制御部１０は、前席からの操作情報が無い場合において（ステップＳＴ２０５“Ｎｏ”）、上記したように自らが保持する変数からダイバーシチ合成状態を取得し（ステップＳＴ２５０）、ステップＳＴ２５１の処理へ移行する。
続くステップＳＴ２５１では、制御部１０は、ダイバーシチ合成中か否かを判定し、ダイバーシチ合成中でなければ（ステップＳＴ２５１“Ｎｏ”）、後席からの操作情報に基づいてデータ放送を制御するためステップＳＴ２１５の処理へ進み、ダイバーシチ合成中であれば（ステップＳＴ２５１“Ｙｅｓ”）、ステップＳＴ２５２の処理へ移行する。
【００５６】
ダイバーシチ合成中の場合（ステップＳＴ２５１“Ｙｅｓ”）、後席側ではデータ放送を操作できない状態であるため、制御部１０は、後席でデータ放送を視聴中であればその視聴を中止させ（ステップＳＴ２５２）、使用中でなければ何もしないで、ステップＳＴ２０４の処理に戻る。
このため、後席のユーザは、ダイバーシチ合成中でなければ実施の形態１と同様にデータ放送を視聴可能であるが、ダイバーシチ合成中にはデータ放送の視聴が不可能になる。
【００５７】
上記した実施の形態４によれば、受信状態に応じてダイバーシチ合成を行なうか否かを切替え可能とし、受信状態悪化時には、後席側のデータを前席側へ転送して合成するように構成したため、前席ではダイバーシチ合成により視聴可能範囲が拡大されるとともに、後席に関係なくデータ放送を視聴できるようになる。また、受信状態が改善されると、前席または後席のいずれかでデータ放送の視聴が可能になる。
【００５８】
なお、上記した実施の状態４に係るデジタル放送受信装置によれば、受信状態悪化時に前席のみ番組視聴可能とする例を示したが、後席のみ視聴可能とし、あるいは、ユーザの嗜好に応じて受信状態悪化時に視聴可能な座席を切替え可能としても良い。
また、受信状態が悪化するとダイバーシチ合成中に移行する例を示したが、後席で番組を視聴していない（後席側の電源がＯＦＦ）場合にダイバーシチ合成中へ移行しても良い。
【００５９】
実施の形態５．
図１１は、この発明の実施の形態５に係るデジタル放送受信装置の内部構成を示すブロック図である。
図１１において、図１に示す実施の形態１との構成上の差異は、後席の放送受信再生部１４の映像解析再生部１４３から表示制御部１４４へ映像が伝達されないことにある。他の構成は、図１に示す実施の形態１と同様である。
【００６０】
後席ユーザが操作情報入力部１２を介して電源ＯＦＦ操作すると、放送受信再生部１４は、後席の視聴用以外に利用できるようになる。
制御部１０は、後席の放送受信再生部１４の電源がＯＦＦ状態になったことを検知すると、放送受信再生部１４に対して視聴用以外の受信動作を指示する。この際、制御部１０は、自ら保持する変数に後席の受信動作状態を記憶する。視聴用以外の受信動作を指示されると、放送受信再生部１４は、映像解析再生部１４３の映像を表示制御部１４４に出力しないよう制御するため、後席の表示部１７には何も表示されなくなる（当然ながら、後席ではデータ放送の表示不可）。
【００６１】
視聴用以外の受信動作として、前席で視聴している放送の中継局や系列局の受信状態を監視する動作（受信状態の良い中継局や系列局へ切り替える）や、地域毎に受信可能な全放送局を探してリモコン番号にプリセット登録を更新する動作や、受信可能な放送局を順次選局し放送予定の番組情報を取得して番組表に記憶しておく動作等が想定される。
【００６２】
図１２−１、図１２−２は、この発明の実施の形態５に係るデジタル放送受信装置の動作を示すフローチャートである。
図１２−１、図１２−２において、図２−１、図２−２で示した実施形態１との差異は、網掛けされた箇所（ステップＳＴ２６０〜ＳＴ２６２）のみであるため、以下は、この網掛けされた箇所を中心に制御部１０の動作を詳細に説明する。
【００６３】
図１２−１において、前席からの操作情報が無い場合に（ステップＳＴ２０５“Ｎｏ”）、制御部１０は、自ら保持する変数から後席の受信動作状態を取得し（図１２−２のステップＳＴ２６０）、ステップＳＴ２６１の処理へ移行する。
続くステップＳＴ２６１では、制御部１０は、後席が視聴動作中か否かを判定し、視聴中であれば（ステップＳＴ２６１“Ｙｅｓ”）、ステップＳＴ２１５以降の処理を実行して後席の操作情報に応じてデータ放送を制御し、視聴中でなければ（ステップＳＴ２６１“Ｎｏ”）、ステップＳＴ２６２の処理へ移行する。後席が視聴中でない場合（ステップＳＴ２６１“Ｎｏ”）、後席はデータ放送を表示不可であるため、制御部１０は、後席でデータ放送を視聴中であればその視聴を中止させ（ステップＳＴ２６２）、使用中でなければ何もしないで、ステップＳＴ２０４の処理へ戻る。このため、後席は、視聴中の受信動作状態であれば、実施の形態１と同様にデータ放送を視聴可能であるが、視聴中以外の受信動作状態であれば、データ放送の視聴が不可能になる。
【００６４】
上記したこの発明の実施の形態５に係るデジタル放送受信装置によれば、後席の電源ＯＦＦ状態の時に、後席の受信動作状態を視聴以外に切り替えるとともに、後席でのデータ放送の視聴を中止するように構成したため、前席は操作制限を受けることなく、中継局や系列局の受信状態監視、あるいは、地域に適したプリセット登録の自動更新や、番組情報の自動取得による恩恵を甘受できる効果が得られる。また、後席が視聴状態になると、実施の形態１と同様に、前席または後席のいずれかでデータ放送の利用が可能になる。
【００６５】
なお、上記した実施の形態５によれば、前席でデータ放送視聴中、かつ、後席で電源ＯＦＦ時に、後席の受信動作を視聴中以外に変更する例を示したが、前席で電源ＯＦＦ、かつ後席で視聴中に、前席の受信動作を視聴中以外に変更しても良い。
また、実施の形態５では、放送受信再生部１４での視聴用以外の受信動作として、中継局や系列局の受信状態監視、地域に適したプリセット登録の自動更新、番組情報の自動取得を示したが、データ放送の操作性を向上させることも可能である。データ放送の操作性を向上させる例は、以下に実施の形態８、実施の形態９として示されている。
【００６６】
実施の形態６．
図１３は、この発明の実施の形態６に係るデジタル放送受信装置の内部構成を示すブロック図である。
図１３において、図１に示す実施の形態１との構成上の差異は、図１に示す実施の形態１が有する構成に、更に、中継表示監視部２７が付加されたことにある。中継表示監視部２７には、ナビゲーション装置２が接続されている。ナビゲーション装置２は、自車位置検知や経路探索等のナビゲーション機能を提供するナビゲーション処理部２４と、ナビゲーション画面とデジタル放送受信装置１の画面とを切替える出力切替部２５と、切替え指示された画面を表示する表示部２６とから構成される。中継表示監視部２７は、ナビゲーション装置２の表示部２６にデジタル放送受信装置１により生成される画面（以下、ＤＴＶ画面という）が中継表示されているか否かを監視して制御部１０に通知する機能を有する。
【００６７】
ここで使用されるナビゲーション装置２は、ナビゲーション処理部２４が生成するナビゲーション画面を表示部２６に表示するだけでなく、出力切替部２５経由でデジタル放送受信装置１からの映像入力を中継して表示部２６に表示することができるものとする。表示画面を切り替える方法としては、リモコンやナビゲーションの操作画面に「映像ソース切替え」ボタン（または、これに類する名前のボタン）を用意して、これを押下する毎に、ナビゲーション画面とＤＴＶ画面とをトグル式に切替えるものとする。このような機能を備えたナビゲーション装置は広く市販されているため、詳細な説明を省略する。
【００６８】
中継表示監視部２７による中継表示状態の監視は、デジタル放送受信装置１とナビゲーション装置２を接続する映像伝送用コネクタにおける信号線の一本をＤＴＶ画面の中継表示状態の通知用に割り当てることにより実現される。すなわち、ナビゲーション装置２の出力切替部２５がＤＴＶ画面の表示／非表示に応じて信号線の電圧レベルをＨｉｇｈ／Ｌｏｗに制御するように結線しておき、デジタル放送受信装置１側では信号電圧の検知回路を経由して制御部１０のマイクロプロセッサの入力端子に接続しておく。中継表示監視部２７は、ハードウェア割り込みを用いてこの入力端子の電圧を監視し、ＨｉｇｈレベルであればＤＴＶ画面が表示中と判定し、Ｌｏｗレベルであればナビゲーション画面が表示中であると判定するものである。
【００６９】
図１４−１、図１４−２は、この発明の実施の形態６に係るデジタル放送受信装置の動作を示すフローチャートである。
図１４−１、図１４−２において、図２−１、図２−２で示した実施形態１との差異は、網掛けされた箇所（ステップＳＴ２７０〜ＳＴ２７２）のみであるため、以下は、この網掛けされた箇所を中心に制御部１０の動作を詳細に説明する。
【００７０】
図１４−１において、制御部１０は、データ放送処理部１５を起動後（ステップＳＴ２０３）、中継表示監視部２７からＤＴＶ画面の中継表示状態に関する情報を取得し（ステップＳＴ２７０）、ステップＳＴ２７１の処理へ移行する。
続くステップＳＴ２７１では、制御部１０は、前席向けに設置されたナビゲーション装置２でＤＴＶ画面が表示中か否かを判定し、ＤＴＶ画面が表示中であれば（ステップＳＴ２７１“Ｙｅｓ”）、ステップＳＴ２０４以降で前席からの操作情報に応じてデータ放送を制御し、ＤＴＶ画面が非表示中、すなわち、ナビゲーション画面が表示中であれば（ステップＳＴ２７１“Ｎｏ”）、ステップＳＴ２７２の処理へ移行する。
【００７１】
ＤＴＶ画面が非表示中の場合（ステップＳＴ２７１“Ｎｏ”）、前席でデータ放送を表示しても無駄であるため、制御部１０は、前席でデータ放送を視聴中であればその視聴を中止させ（ステップＳＴ２７２）、視聴中でなければ何もしないで、図１４−２に示すステップＳＴ２１５の処理（後席からの操作情報の取得）へ移行する。
上記の動作により、前席はナビゲーション画面の表示中であればデータ放送を操作不可となるが、ＤＴＶ画面の表示中であればデータ放送の操作が可能になる。
【００７２】
上記したこの発明の実施の形態６に係るデジタル放送受信装置によれば、ナビゲーション画面の表示中には前席からデータ放送を操作不可能とするよう構成したため、後席ユーザは、ナビゲーション画面の表示中には前席に関係なくデータ放送を使用可能になる効果が得られる。また、前席でＤＴＶ画面を表示すれば、実施の形態１と同様に、前席または後席のいずれかでデータ放送を視聴することができる。
【００７３】
なお、上記した実施の形態６によれば、中継表示監視部２７は、デジタル放送受信装置１とナビゲーション装置２とを接続する映像伝送用コネクタにおける信号線の一本を用いて、ＤＴＶ画面が表示中か否かを監視するものとして説明したが、デジタル放送受信装置１とナビゲーション装置２との間でシリアル通信などの通信手段を設けて、通信によりＤＴＶ画面が表示中か否かを監視するように構成しても良い。
また、ＤＴＶ受信機１とナビゲーション装置２３を一体化して、両者のマイクロコンピュータ間を内部バスで接続し、内部バスでのデータ交換により監視するようにしても良い。
【００７４】
実施の形態７．
以下、実施の形態７の説明を行うが、図１に示す実施の形態１と同様の構成を用いるため、重複を回避する意味でここでの説明は省略する。
図１５−１、図１５−２は、この発明の実施の形態７に係るデジタル放送受信装置の動作を示すフローチャートである。図１５−１、図１５−２において、図２−１、図２−２で示した実施形態１との差異は、網掛けされた箇所（ステップＳＴ２８０〜ＳＴ２８７）のみであるため、以下は、この網掛けされた箇所を中心に制御部１０の動作を詳細に説明する。
【００７５】
図１５−１において、制御部１０は、前席からの操作情報が無い場合（ステップＳＴ２０５“Ｎｏ”）、前席の‘ｄ’ボタン押下履歴を保持する変数の値に基づいて、前席の‘ｄ’ボタン押下履歴の有無を判定する（ステップＳＴ２８０）。ここで、履歴があれば（ステップＳＴ２８０“Ｙｅｓ”）、データ放送の使用状態を判定する処理（ステップＳＴ２０７）に移行し、履歴がなければ（ステップＳＴ２８０“Ｎｏ”）、後席の‘ｄ’ボタン押下履歴の有無を判定する処理（図１５−２に示すステップＳＴ２８４）に移行する。
ステップＳＴ２０７の処理において、制御部１０は、実施の形態１と同様に、データ放送の使用状態を判定し、前席で使用中であれば（ステップＳＴ２０７“前席使用中”）、ステップＳＴ２０８の処理へ移行して実施の形態１と同じ処理を行い、後席で使用中であれば（後席使用中）、ステップＳＴ２１０の処理へ進み、未使用であれば（ステップＳＴ２０７“未使用”）、ステップＳＴ２８１の処理に移行する。
【００７６】
後席でデータ放送を使用中の場合（ステップＳＴ２０７“後席使用中”）、制御部１０は、前席の‘ｄ’ボタン押下履歴がなければ、前席にデータ放送が使用不可である旨を通知し（ステップＳＴ２１０）、履歴があれば（データ放送が使用不可である旨を繰り返し表示しないために）何もせずにステップＳＴ２８３の処理へ移行する。
続くステップＳＴ２８３では、制御部１０は、前席の‘ｄ’ボタン押下履歴を保持する変数に履歴ありを示す値を設定するとともに、前席情報として‘ｄ’ボタン押下があれば（無駄なデータ放送処理を避けるために）ユーザ操作情報を削除する。その後、ステップＳＴ２１４の処理（表示制御部１３４に前席からの操作情報を通知）へ移行する。
【００７７】
データ放送が未使用の場合（ステップＳＴ２０７“未使用”）、制御部１０は、前席の‘ｄ’ボタン押下履歴がなければ（ステップＳＴ２８１“Ｎｏ”）、前席でのデータ放送の表示を指示し（ステップＳＴ２１２）、前席の‘ｄ’ボタン履歴があれば（ステップＳＴ２８１“Ｙｅｓ”）、ステップＳＴ２８２の処理へ移行する。すなわち、前席の‘ｄ’ボタン押下履歴がある場合、前席でデータ放送が使用可能になったため、制御部１０は、前席の‘ｄ’ボタン押下履歴を保持する変数を履歴なしを示す値に変更するとともに（ステップＳＴ２８２）、データ放送画面を表示させるため、前席の操作情報に‘ｄ’ボタン押下を設定する。その後、前席でのデータ放送の表示を指示する（ステップＳＴ２１２）。
【００７８】
図１５−２において、制御部１０は、後席の‘ｄ’ボタン押下履歴を保持する変数の値に基づいて、後席の‘ｄ’ボタン押下履歴の有無を判定し（ステップＳＴ２８４）、ここで、履歴があれば（ステップＳＴ２８４“Ｙｅｓ”）、データ放送の使用状態を判定するステップＳＴ２１８の処理へ移行し、履歴がなければ（ステップＳＴ２８４“Ｎｏ”）、後席からの操作情報を取得するステップＳＴ２１５の処理へ移行する。
ステップＳＴ２１８では、制御部１０は、実施の形態１と同様に、データ放送の使用状態を判定し、前席で使用中であればステップＳＴ２１９へ、後席で使用中であればステップＳＴ２２１の処理へ移行して実施の形態１と同じの処理を実行し、未使用であれば、ステップＳＴ２８６の処理を実行する。
【００７９】
前席でデータ放送を使用中の場合（ステップＳＴ２１８“前席使用中”）、制御部１０は、後席の‘ｄ’ボタン押下履歴がなければ、後席にデータ放送が使用不可である旨を通知し（ステップＳＴ２１９）、後席の‘ｄ’ボタン押下履歴があれば（データ放送が使用不可である旨を繰り返し表示しないために）何もせずにステップＳＴ２８５の処理へ移行する。
ステップＳＴ２８５では、制御部１０は、後席の‘ｄ’ボタン押下履歴を保持する変数に履歴ありを示す値を設定するとともに、後席の操作情報として‘ｄ’ボタン押下があれば、（無駄なデータ放送処理を避けるために）ユーザ操作情報を削除する。その後、表示制御部１４４に対して後席からの操作情報を通知するステップＳＴ２２５の処理へ移行する。
【００８０】
データ放送が未使用の場合（ステップＳＴ２１８“未使用”）、制御部１０は、後席の‘ｄ’ボタン押下履歴を参照する（ステップＳＴ２８６）。
ここで、履歴が無ければ（ステップＳＴ２８６“Ｎｏ”）、制御部１０は、後席でのデータ放送の表示を指示するステップＳＴ２２３の処理に移行し、履歴があれば（ステップＳＴ２８６“Ｙｅｓ”）、後席でデータ放送が使用可能になったため、後席の‘ｄ’ボタン押下履歴を保持する変数に関して履歴なしを示す値に変更し（ステップＳＴ２８７）、データ放送画面を表示させるため、後席の操作情報に‘ｄ’ボタン押下を設定する。その後、上記したステップＳＴ２２３の処理へ移行する。
【００８１】
上記した実施の形態７に係るデジタル放送受信装置によれば、他のユーザがデータ放送視聴中に、ユーザがデータ放送を操作しようと試みると、当該ユーザにデータ放送が使用不可である旨を報知するとともに、当該ユーザからのデータ放送視聴要求を記憶しておき、他のユーザがデータ放送の視聴を終了した時点で、データ放送を自動的に表示するように構成したため、当該ユーザはデータ放送が操作可能か否かを頻繁に確認し、あるいはデータ放送を手動で起動する必要がなくなるため、利便性が提供できるとともにユーザの操作負荷が軽減される。
【００８２】
実施の形態８．
図１６は、この発明の実施の形態８に係るデジタル放送受信装置の内部構成を示すブロック図である。
図１６に示されるように、図１１に示す実施の形態５との構成上の差異は、放送受信再生部１４の情報分離部１４２がデータ放送処理部１５のデータ放送入力切替部１５１に接続され、データ放送入力切替部１５１が以下に説明する条件に応じて接続切替えする点にある。他の構成は、図１１に示す実施の形態５と同様である。
【００８３】
以下、図１６を参照しながらこの発明の実施の形態８に係るデジタル放送受信装置の動作について詳細に説明する。
【００８４】
制御部１０は、前席または後席でデータ放送が表示される毎に、その時点で選局中の放送局とデータ放送表示回数を組みとして収集して内蔵のメモリに保存し、その中からデータ放送表示回数が最多の放送局を高視聴頻度の放送局として取得する。
具体的に、制御部１０は、後席の放送受信再生部１４の電源がＯＦＦになった場合に、放送受信再生部１４に高視聴頻度の放送局を選局させる。この状態で、前席ユーザが高視聴頻度の放送局以外を選択すれば、制御部１０は、データ放送処理部１５のデータ放送入力切替部１５１の入力元を放送受信再生部１３の情報分離部１３２に接続する。これは、図１１の実施の形態５で示した動作と同じである。
【００８５】
一方、前席ユーザが、高視聴頻度の放送局を選択すれば（放送受信再生部１３と放送受信再生部１４で同じ放送局を選局）、制御部１０は、データ放送処理部１５のデータ放送入力切替部１５１の入力元を放送受信再生部１４の情報分離部１４２に接続するとともに、データ放送処理部１５のデータ放送解析部１５２とデータ放送ブラウザ１５３にデータ放送画面の表示準備（データ放送画面の表示はしない）をさせる。
ここで、前席ユーザが、リモコンの‘ｄ’ボタンを押下すると、制御部１０はデータ放送ブラウザ１５３にデータ放送画面の表示を指示する。
【００８６】
上記したこの発明の実施の形態に係るデジタル放送受信装置によれば、高視聴頻度の放送局をユーザが選択すると、予め選局してデータ放送画面を準備しているため、短時間でデータ放送画面を表示でき、ユーザの待ち時間を低減できる効果がある。ちなみに、現在のデジタル放送受信装置ではデータ放送を表示するまでにかなりの時間を要する。
【００８７】
実施の形態９．
図１７は、この発明の実施の形態９に係るデジタル放送受信装置の内部構成を示すブロック図である。
図１７に示されるように、図１１に示す実施の形態５との構成上の差異は、データ放送処理部１５の中に、各方送局の放送中に含まれるデータ放送情報を記憶するデータ放送情報記憶部１５５を付加したことにある。その他の構成は、図１１に示す実施の形態５と同じである。
【００８８】
以下、図１７を参照しながらこの発明の実施の形態９に係るデジタル放送受信装置の動作について詳細に説明する。
なお、放送受信再生部１４の受信動作を視聴中と視聴中以外に切り替える際の動作については、実施の形態５と同様であるため説明を省略し、ここでは、放送受信再生部１４の視聴中以外の受信動作についてのみ説明する。
【００８９】
制御部１０は、放送受信再生部１４の視聴中以外の受信動作として、地域に適したプリセット登録の自動更新と同時にデータ放送情報の収集を指示すると、データ放送処理部１５は、データ放送入力切替部１５１の入力元を放送受信再生部１４の情報分離部１４２に設定し、データ放送出力切替部１５４の出力先を、放送受信再生部１３の表示制御部１３４に設定する。
放送受信再生部１４は、地上デジタル放送が送出されるＵＨＦの１３〜６２チャンネルを順次選局し、受信可能なチャンネルであれば放送局情報を解析しリモコンのプリセット登録情報を更新する。このことは、図１１に示した実施の形態５で説明したとおりである。
放送受信再生部１４は同時に、データ放送情報の取得を試みる。
【００９０】
情報分離部１４２は、放送受信部１４１からＴＳを解析し、ＤＳＭ−ＣＣを抽出してデータ放送処理部１５のデータ放送入力切替部１５１へ出力する。データ放送解析部１５２はＤＳＭ−ＣＣ中に含まれるデータ放送情報（ＢＭＬ情報）を抽出してデータ放送情報記憶部１５５に記憶する。この処理を受信可能な全チャンネルについて実行し、データ放送情報記憶部１５５に抽出したデータ放送情報を予め記憶しておく。
【００９１】
続いて、前席ユーザがデータ放送を表示するため、操作情報入力部１１の‘ｄ’ボタン押下すると、制御部１０は、データ放送処理部１５にデータ放送の表示を指示する。正確には、前席からのユーザ操作情報は、制御部１０から表示制御部１を経由してデータ放送ブラウザ２０に伝達される）。
データ放送ブラウザ１５３は、放送受信再生部１３から選局中のチャンネル情報を取得し、データ放送情報記憶部１５５から該当するチャンネルのデータ放送情報を読み出して、データ放送画面を生成して出力する。
【００９２】
上記したこの発明の実施の形態９に係るデジタル放送受信装置によれば、データ放送情報記憶部１５５に受信可能な全チャンネルのデータ放送情報を予め記憶しておき、前席ユーザからデータ放送の表示が指示されると、該当チャンネルのデータ放送情報を読み出して表示するため、どのチャンネルを選局中にデータ放送の表示を指示されても、素早くデータ放送画面を表示可能であり、待ち時間の短縮に貢献することができる。
【００９３】
以上説明のようにこの発明の実施の形態に係るデジタル放送受信装置によれば、制御部１０が、複数の操作情報入力部１１，１２からの操作情報に基づいて、唯一個のデータ放送処理部１５の入出力対象となる放送受信再生部１３，１４の排他制御を行うことにより、例えば、車両の前席または後席からの操作要求に応じて、唯一個のデータ放送処理部１５（１個のデータ放送ブラウザ１５３）を前席または後席から使用可能になるため、前席と後席で２つのデータ放送ブラウザを備えて使用する場合に比べて、使用メモリ量と処理負荷を削減することができる。
【００９４】
一方、車両の安全運転を確保するためには、走行中には前席での番組映像を表示不可（音声のみ出力）とする必要があり、走行中に前席でデータ放送を操作可能としても無駄である。この場合、制御部１０が、移動状態監視部２２の出力に基づいて、唯一個のデータ放送処理部１５の入出力対象となる放送受信再生部１３，１４の排他制御を行い、走行中には後席でのみデータ放送を操作可能とすることで、１個のデータ放送ブラウザ１５３でもデータ放送の操作に支障はない。
また、移動中に受信状態が悪化して視聴中の番組が視聴できなくなることがあり、この対策として、前席と後席の放送受信信号をダイバーイチ合成して視聴可能な地域を拡大することが可能であるが、前席と後席の同時視聴は不可能となる。この場合に、ダイバーシチ合成入力用の放送受信再生部でデータ放送を操作可能としても無駄であるため、ダイバーシチ合成出力用の放送受信再生部１３（１４）でのみデータ放送を操作可能とすれば、１個のデータ放送ブラウザ１５３でもデータ放送の操作に支障が出難くなる。
【００９５】
また、例えば、車で移動中に視聴中の番組の放送地域から逸脱して行くと、番組の受信状態が悪化して最終的には視聴できなくなる。視聴状態が悪化する前に、受信状態の良い中継局や系列局を探して切り替えるためには、２個の放送受信再生部１３，１４を、放送視聴と放送視聴以外（中継局や系列局の監視）に使用する必要がある。この場合に、放送再生以外に使用する放送受信再生部１３（１４）でデータ放送を操作可能としても無駄であるため、放送視聴に使用する放送受信再生部１３（１４）からのみデータ放送を操作可能にすれば、１個のデータ放送ブラウザ１５３でもデータ放送の操作に支障が出難くなる。
【００９６】
また、ナビゲーション装置２等の外部装置とデジタル放送受信装置１とを接続し、前席の映像出力をナビゲーション装置２の表示部２６に表示して、後席の映像をデジタル放送受信装置１の表示部１６（１７）に表示するケースを想定した場合、前席でナビゲーションの地図画面を表示している間に、データ放送を前席から視聴可能にしても無駄である。このため、後席からのみ再生可能とすることにより、１個のデータ放送ブラウザ１５３でもデータ放送の操作に支障が出難くなる。
また、例えば、車両走行中には前席でデータ放送を操作不可とするが、停車中には前席または後席のいずれかからデータ放送を操作可能に切り替えるため、１個のデータ放送ブラウザ１５２でもデータ放送の操作に支障が出難くなる。
【００９７】
また、例えば、後席に表示部１７が接続されていない場合、後席でデータ放送を操作可能としても無駄である。この場合に、データ放送を前席でのみ操作可能とすることで、１個のテータ放送ブラウザ１５３でもデータ放送の操作に支障が出難くなる。
また、１個のデータ放送ブラウザ１５２の入出力対象でない複数の放送受信再生部１３（１４）に、データ放送が使用不可であることを示す表示を行わせることで、ユーザは、画面を見るだけでデータ放送が操作不可であることを容易に把握できるので、無駄な操作を行わなくても済む。
【００９８】
また、複数の操作情報入力部１１，１２から１個のデータ放送ブラウザ１５３の入出力対象でない放送受信再生部１３（１４）に対するデータ放送の操作要求を入力すると、データ放送を再生中の放送受信再生部１３（１４）に対し、データ放送の視聴要求があることを示す表示を行わせることで、ユーザは、画面を見るだけで他ユーザがデータ放送の使用を希望していることを容易に把握でき、漫然とデータ放送を占有し続けることを防止できる。これにより、データ放送を必要とするユーザは、希望する時にデータ放送を視聴できる。
【００９９】
なお、データ放送の表示を試みて他のユーザが使用中のために断念した場合、その後の状況変化によってデータ放送が操作可能になると、その時点で自動的にデータ放送が表示されるため、データ放送が操作可能か否かを頻繁に確認し、あるいはデータ放送を手動起動する必要がない。このため、使い勝手が向上する。
【０１００】
なお、上記したこの発明の実施の形態１〜実施の形態９に係るデジタル放送受信装置によれば、いずれも、普通乗用車を想定して前席と後席の２系統で同時視聴と同時操作する例について説明したが、ワゴン車等、３列シートで、前席／中席／後席の３系統で同時視聴と同時操作する場合も同様の構成により、同様の効果が得られるものである。また、運転席／助手席／後左席／後右席のように座席単位で同時視聴と同時操作を可能とする場合も同様である。
【０１０１】
また、前席操作用と後席操作用に２個のリモコンを用いる代わりに、１個のリモコンに前席操作用と後席操作用の切替スイッチを設けて、このスイッチに応じて前席操作と後席操作を交互に切り替えるようにしても良い。
【０１０２】
また、図１、図５、図７、図９、図１１、図１３、図１６に示す制御部１０が有する機能は、全てをソフトウェアによって実現しても、あるいはその少なくとも一部をハードウェアで実現してもよい。例えば、制御部１０が、複数の操作情報入力部１１，１２からの操作情報に基づいて、唯一個のデータ放送処理部１５の入出力対象となる放送受信再生部１３，１４の排他制御を行うデータ処理は、１または複数のプログラムによりコンピュータ上で実現してもよく、また、その少なくとも一部をハードウェアで実現してもよい。
【図面の簡単な説明】
【０１０３】
【図１】この発明の実施の形態１に係るデジタル放送受信装置の内部構成を示すブロック図である。
【図２−１】この発明の実施の形態１に係るデジタル放送受信装置の動作（１）を示すフローチャートである。
【図２−２】この発明の実施の形態１に係るデジタル放送受信装置の動作（２）を示すフローチャートである。
【図３】この発明の実施の形態１に係るデジタル放送受信装置の表示画面構成の一例を示す図である。
【図４】この発明の実施の形態１に係るデジタル放送受信装置の表示画面構成の他の例を示す図である。
【図５】この発明の実施の形態２に係るデジタル放送受信装置の内部構成を示すブロック図である。
【図６−１】この発明の実施の形態２に係るデジタル放送受信装置の動作（１）を示すフローチャートである。
【図６−２】この発明の実施の形態２に係るデジタル放送受信装置の動作（２）を示すフローチャートである。
【図７】この発明の実施の形態３に係るデジタル放送受信装置の内部構成を示すブロック図である。
【図８−１】この発明の実施の形態３に係るデジタル放送受信装置の動作（１）を示すフローチャートである。
【図８−２】この発明の実施の形態３に係るデジタル放送受信装置の動作（２）を示すフローチャートである。
【図９】この発明の実施の形態４に係るデジタル放送受信装置の内部構成を示すブロック図である。
【図１０−１】この発明の実施の形態４に係るデジタル放送受信装置の動作（１）を示すフローチャートである。
【図１０−２】この発明の実施の形態４に係るデジタル放送受信装置の動作（２）を示すフローチャートである。
【図１１】この発明の実施の形態５に係るデジタル放送受信装置の内部構成を示すブロック図である。
【図１２−１】この発明の実施の形態５に係るデジタル放送受信装置の動作（１）を示すフローチャートである。
【図１２−２】この発明の実施の形態５に係るデジタル放送受信装置の動作（２）を示すフローチャートである。
【図１３】この発明の実施の形態６に係るデジタル放送受信装置の内部構成を示すブロック図である。
【図１４−１】この発明の実施の形態６に係るデジタル放送受信装置の動作（１）を示すフローチャートである。
【図１４−２】この発明の実施の形態６に係るデジタル放送受信装置の動作（２）を示すフローチャートである。
【図１５−１】この発明の実施の形態７に係るデジタル放送受信装置の動作（１）を示すフローチャートである。
【図１５−２】この発明の実施の形態７に係るデジタル放送受信装置の動作（２）を示すフローチャートである。
【図１６】この発明の実施の形態８に係るデジタル放送受信装置の内部構成を示すブロック図である。
【図１７】この発明の実施の形態９に係るデジタル放送受信装置の内部構成を示すブロック図である。
【符号の説明】
【０１０４】
１  デジタル放送受信装置、２  ナビゲーション装置（外部装置）、１０  制御部、１１，１２  操作情報入力部、１３，１４  放送受信再生部、１５  データ放送処理部、１６，１７  表示部、２２  移動状態監視部、２７  中継表示監視部、１３１，１４１  放送受信部、１３２，１４２  情報分離部、１３３，１４３  映像解析再生部、１３４，１４４  表示制御部、１５１  データ放送入力切替部、１５２  データ放送解析部、１５３  データ放送ブラウザ、１５４  データ放送出力切替部、１５５  データ放送情報記憶部。
【図１】
0004841572.tif 000002
【図２−１】
0004841572.tif 000003
【図２−２】
0004841572.tif 000004
【図３】
0004841572.tif 000005
【図４】
0004841572.tif 000006
【図５】
0004841572.tif 000007
【図６−１】
0004841572.tif 000008
【図６−２】
0004841572.tif 000009
【図７】
0004841572.tif 000010
【図８−１】
0004841572.tif 000011
【図８−２】
0004841572.tif 000012
【図９】
0004841572.tif 000013
【図１０−１】
0004841572.tif 000014
【図１０−２】
0004841572.tif 000015
【図１１】
0004841572.tif 000016
【図１２−１】
0004841572.tif 000017
【図１２−２】
0004841572.tif 000018
【図１３】
0004841572.tif 000019
【図１４−１】
0004841572.tif 000020
【図１４−２】
0004841572.tif 000021
【図１５−１】
0004841572.tif 000022
【図１５−２】
0004841572.tif 000023
【図１６】
0004841572.tif 000024
【図１７】
0004841572.tif 000025